(57)【要約】【課題】キーホルダ等によって貫通孔の内面が傷ついたり貫通孔が破断したりしにくいようにする。【解決手段】車両用電子キー１００は、ケース本体部１１０に固定され、キー保持部材を挿通可能な貫通孔１２２ｂが形成されたベース部材１２２と、貫通孔１２２ｂに連通する貫通孔１２１ａを有し、貫通孔１２２ｂの内周部の少なくとも一部が露出するようにベース部材１２２を覆う端部部材１２１とを有し、ベース部材１２２は、端部部材１２１を構成する樹脂以上の強度を有する樹脂から構成されている。【選択図】図２
2019173383.tif 000002
【特許請求の範囲】
【請求項１】
電子回路が収納されるケースを有する車両用電子キーであって、
上記ケースの本体部に固定され、キー保持部材を挿通可能な貫通孔が形成されたベース部材と、
上記ベース部材の貫通孔に連通する貫通孔を有し、上記ベース部材の貫通孔の内周部の少なくとも一部が露出するように上記ベース部材を覆う端部部材と、
を有し、
上記ベース部材は、上記端部部材を構成する樹脂以上の強度を有する樹脂から構成されていることを特徴とする車両用電子キー。
【請求項２】
請求項１の車両用電子キーであって、
上記端部部材は、上記端部部材の貫通孔に垂直な方向から上記貫通孔に連通し、上記ケースの本体部側に開口する溝部が形成され、
上記ベース部材は、上記ケースの本体部側から上記端部部材の上記溝部に挿入されていることを特徴とする車両用電子キー。
【請求項３】
請求項２の車両用電子キーであって、
上記ベース部材と上記端部部材との当接面のうち、上記ベース部材を上記端部部材に挿入する方向に垂直な方向に互いに当接する当接面の少なくとも一方に、凸状部が形成されていることを特徴とする車両用電子キー。
【請求項４】
請求項１から請求項３のうち何れか１項の車両用電子キーであって、
上記ベース部材を構成する樹脂は、強化繊維を含む樹脂であることを特徴とする車両用電子キー。
【請求項５】
請求項１から請求項４のうち何れか１項の車両用電子キーであって、
上記ベース部材はフランジ部を有し、上記フランジ部が上記端部部材に固定されていることを特徴とする車両用電子キー。
【請求項６】
請求項１から請求項５のうち何れか１項の車両用電子キーであって、
上記ベース部材を上記端部部材に挿入する方向の軸に対して非対称な部分を有し、上記ベース部材が、上記端部部材に挿入される際の上記軸周りの回転位置が１つに定まることを特徴とする車両用電子キー。
【発明の詳細な説明】
【技術分野】
【０００１】
本発明は、車両のドアの解錠等を行う車両用電子キーに関するものである。
【背景技術】
【０００２】
車両のドアの解錠等を行う車両用電子キーとして、キーホルダ等を取り付ける貫通孔が形成された樹脂製のケース内にＩＤコード発生回路が収納されたものが知られている（例えば、特許文献１参照。）。
【先行技術文献】
【特許文献】
【０００３】
【特許文献１】特開２００1−５９３６７号公報
【発明の概要】
【発明が解決しようとする課題】
【０００４】
上記のように樹脂製のケースに形成された貫通孔にキーホルダ等を取り付けると、貫通孔の内面や周囲などに傷がついて見栄えが悪くなったりするばかりでなく、キーホルダ等から加わる力によって貫通孔が破断したりすることがある。特に、厚さ方向の寸法を厚くしつつ成形時の精度を高めるなどのために内部に空洞を形成する場合、強度や剛性が低くなりがちである。
【０００５】
本発明は、上記の点に鑑み、貫通孔に取り付けられたキーホルダ等によって貫通孔の内面が傷ついたり貫通孔が破断したりしにくいようにすることを目的としている。
【課題を解決するための手段】
【０００６】
上記の目的を達成するために、
本発明は、
電子回路が収納されるケースを有する車両用電子キーであって、
上記ケースの本体部に固定され、キー保持部材を挿通可能な貫通孔が形成されたベース部材と、
上記ベース部材の貫通孔に連通する貫通孔を有し、上記ベース部材の貫通孔の内周部の少なくとも一部が露出するように上記ベース部材を覆う端部部材と、
を有し、
上記ベース部材は、上記端部部材を構成する樹脂以上の強度を有する樹脂から構成されていることを特徴とする。
【０００７】
これにより、ケース端部の強度や剛性を高めたり、端部部材の傷付きを防止したり低減したりすることが容易にできる。
【発明の効果】
【０００８】
本発明によれば、貫通孔に取り付けられたキーホルダ等によって貫通孔の内面が傷ついたり貫通孔が破断したりしにくいようにできる。
【図面の簡単な説明】
【０００９】
【図１】車両用電子キーの全体構成を示す斜視図である。
【図２】車両用電子キーの端部付近の詳細な構成を示す分解斜視図である。
【図３】車両用電子キーの端部付近の詳細な構成を示す分解斜視図である。
【図４】図３のIV-IV断面図である。
【発明を実施するための形態】
【００１０】
以下、本発明の実施形態として、図１に示すようにケース本体部１１０とケース端部１２０とを有する車両用電子キー１００の例を説明する。
【００１１】
ケース本体部１１０は、ケース本体下部１１１とケース本体上部１１２とが重ね合わされて構成されている。ケース本体部１１０の内部には、例えば車両のドアの解錠やエンジンの始動などをリモートコントロールするための電波を発する図示しない電子回路が収容されている。ケース端部１２０は、上記ケース本体部１１０の端部に設けられ、キーホルダやキーリング等のキー保持部材が取り付けられる貫通孔１２１ａ、および貫通孔１２２ｂが形成されている。
【００１２】
上記ケース端部１２０は、より詳しくは、図２〜図４に示すように、端部部材１２１と、ベース部材１２２とを有している。
【００１３】
端部部材１２１には、上記貫通孔１２１ａに垂直な方向、すなわちケース本体部１１０側から上記貫通孔１２１ａに連通し、上記ケース本体部１１０側に開口する溝部１２１ｂが形成されている。溝部１２１ｂの周囲には、後述するベース部材１２２のフランジ部１２２ｃが嵌まり込むフランジ受部１２１ｃが設けられている。
【００１４】
一方、ベース部材１２２は、上記端部部材１２１の溝部１２１ｂにケース本体部１１０側から挿入される挿入部１２２ａと、上記端部部材１２１のフランジ受部１２１ｃに嵌まり込むフランジ部１２２ｃとを有している。挿入部１２２ａには、端部部材１２１の貫通孔１２１ａに連通する貫通孔１２２ｂが形成されている。より詳しくは、例えば図４に示すように、貫通孔１２１ａと貫通孔１２２ｂとによってケース端部１２０の貫通孔全体が形成されるようになっている。すなわち、端部部材１２１は、ベース部材１２２の貫通孔１２２ｂに連通する貫通孔１２１ａを有し、ベース部材１２２の貫通孔１２２ｂの内周部の少なくとも一部が露出するようにベース部材１２２を覆うようになっている。また、貫通孔全体の少なくとも一部に、内周部材としてのベース部材１２２が設けられている。
【００１５】
上記端部部材１２１は、例えば比較的安価で成型しやすいＡＢＳ樹脂を用いて形成されている。一方、ベース部材１２２は、端部部材１２１以上の強度を有する樹脂、多くの場合には端部部材１２１以上の剛性も有する樹脂を用いて構成されている。また、さらに端部部材１２１よりも硬質の樹脂を用いて構成されるようにしてもよい。具体的には、例えばガラス繊維入りのＰＢＴ樹脂などの強化樹脂を用いて形成されている。すなわち、貫通孔全体の内周部の少なくとも一部に、端部部材１２１を形成する樹脂以上などの硬質の樹脂や高強度などの樹脂から成るベース部材１２２が設けられている。
【００１６】
ベース部材１２２の上記フランジ部１２２ｃの周囲、すなわち端部部材１２１とベース部材１２２との当接面のうち、上記ベース部材１２２を上記端部部材１２１に挿入する方向に垂直な方向に互いに当接する当接面には、必須ではないが複数の凸状部１２２ｄが形成され、端部部材１２１のフランジ受部１２１ｃに嵌まり込んだときにがたつきを抑制し、または小さく抑えることができるようになっている。なお、上記のような凸部は端部部材１２１側に設けられてもよい。フランジ部１２２ｃにはネジ１２３が挿通されるネジ穴１２２ｅが形成され、上記ネジ１２３が端部部材１２１に形成された雌ネジ１２１ｄに螺合することによって、端部部材１２１がベース部材１２２に固定されるようになっている。なお、上記固定は接着剤によって行われるなどしてもよい。上記ベース部材１２２には、また、フランジ部１２２ｃに対して挿入部１２２ａと反対側に係止部１２２ｆが形成され、後述するようにベース部材１２２をケース本体部１１０に固定し得るようになっている。上記係止部１２２ｆの形状は、特に限定されないが、例えば図４に示すように断面Ｔ字形状に形成されている。なお、端部部材１２１に同様の係止部等が形成されて、端部部材１２１が直接ケース本体部１１０に固定し得るようにされてもよい。
【００１７】
ケース本体下部１１１およびケース本体上部１１２は、それぞれ、底壁１１１ａ・１１２ａおよび側壁１１１ｂ・１１２ｂを有し、内部に電子回路が収容される空間が形成されるようになっている。側壁１１１ｂ・１１２ｂにおける端部側部分には、凹部１１１ｃ・１１２ｃが形成され、ベース部材１２２の係止部１２２ｆが係合することにより、ベース部材１２２および端部部材１２１がケース本体部１１０に固定されるようになっている。
【００１８】
ここで、端部部材１２１やベース部材１２２は、車両用電子キー１００の長手方向の軸に対して線対称な形状を有していれば、上記軸に対して１８０度回転させても互いに、またはケース本体部１１０に組み付け可能にできる。一方、非対称な部分を設けることによって、回転位置を一意に定めることができる。
【００１９】
上記のように、貫通孔１２１ａの内周部よりも貫通孔１２２ｂの内周部の方が突出した部分を有するように設定されることによって、キーホルダ等との接触が主に貫通孔１２２ｂの内周部によって行われる。それゆえ、端部部材１２１よりも硬質の樹脂や、端部部材１２１以上の強度や硬度を有する樹脂でベース部材１２２を形成することによって、端部部材１２１の傷付きを防止したり低減したりすることが容易にできる。また、キーホルダ等から作用する力が主に貫通孔１２２ｂの内周部によって受けられ、ケース端部１２０が破損しにくいようにすることも容易にできる。ここで、端部部材１２１を構成するとベース部材１２２を構成する樹脂との強度が同じ場合でも、端部部材１２１の内部（溝部１２１ｂ）が空洞の状態にされるよりも全体の強度等を高められることになる。それゆえ、例えば端部部材１２１の肉厚を薄く設定して成形時の形状精度を高めつつ、強度等を高めることも容易になる。しかも、ベース部材１２２として塗装が困難な樹脂を用いる場合でも、端部部材１２１として塗装が容易な樹脂を用いることによって外観の自由度を高めることが容易にできる。なお、貫通孔１２２ｂの内周部は、必ずしも、図４に示したように貫通孔１２１ａの内周部よりも突出させるのに限らず、面一や貫通孔１２１ａの内周部の方が突出するように設定される場合でも、各部の撓み等に応じて実際上、キーホルダ等から作用する力が主に貫通孔１２２ｂの内周部によって受けられるようにしてケース端部１２０が破損しにくいようにしてもよい。
【００２０】
（その他の事項）
上記のように端部部材１２１とベース部材１２２との２つの部材を組み合わせて用いる場合には、例えば一方が損傷した場合などに一方だけ交換可能にすることができる。
【００２１】
また、強度や硬度をある程度確保しつつ、金属製の強度部材を用いる場合に比べて軽量化や形状の自由度向上を図ることができる。
【００２２】
一般に、金属プレートにプレス加工によって貫通孔を形成する場合には例えば２．６ｍｍ以上の金属プレートを用いることは困難である一方、端部部材１２１に形成される溝部１２１ｂの幅を２．６ｍｍ以下にすることは金型を形成することが困難である。これに対して、上記のように強度や硬度が異ならせた樹脂製の端部部材１２１およびベース部材１２２を用いることによって、貫通孔を形成することが容易で、かつ、ベース部材１２２の挿入溝を形成することも容易にすることができる。
【符号の説明】
【００２３】
１００      車両用電子キー
１１０      ケース本体部
１１１      ケース本体下部
１１１ａ・１１２ａ      底壁
１１１ｂ・１１２ｂ      側壁
１１１ｃ・１１２ｃ      凹部
１１２      ケース本体上部
１２０      ケース端部
１２１      端部部材
１２１ａ    貫通孔
１２１ｂ    溝部
１２１ｃ    フランジ受部
１２１ｄ    雌ネジ
１２１ｅ    係止部
１２２      ベース部材
１２２ａ    挿入部
１２２ｂ    貫通孔
１２２ｃ    フランジ部
１２２ｄ    凸状部
１２２ｅ    ネジ穴
１２２ｆ    係止部
１２３      ネジ
【図１】
2019173383.tif 000003
【図２】
2019173383.tif 000004
【図３】
2019173383.tif 000005
【図４】
2019173383.tif 000006